(57)【要約】【課題】布バネ部材と、配置物との干渉を抑制または防止しつつ、座り心地を維持することが可能な車両用シート構造を得る。【解決手段】車両用シート１０は、シートクッション１２に配置され、シート幅方向に間隔をあけて配置された一対のクッションサイドフレーム１４と、一対のクッションサイドフレーム１４間に架け渡され、乗員の荷重を着座部１６で受け、弾性を有する布バネ部材２０と、布バネ部材２０の下側に着座部１６から離間しつつ布バネ部材２０と対向配置され、布バネ部材２０よりも引っ張り変形し難い規制用布部材３０と、を備えている。【選択図】図１
2018075885.tif 000002
【特許請求の範囲】
【請求項１】
シートクッションに配置され、シート幅方向またはシート前後方向に間隔をあけて配置された一対のクッションフレーム部材と、
前記一対のクッションフレーム部材間に架け渡され、乗員の荷重を着座部で受け、弾性を有する布バネ部材と、
前記布バネ部材の下側に前記着座部から離間しつつ前記布バネ部材と対向配置され、前記布バネ部材よりも引っ張り変形し難い規制用布部材と、
を備えた車両用シート構造。
【請求項２】
シートバックに配置され、シート幅方向またはシート上下方向に間隔をあけて配置された一対のバックフレーム部材と、
前記一対のバックフレーム部材間に架け渡され、乗員の荷重をバック支持部で受け、弾性を有する布バネ部材と、
前記布バネ部材の後側に前記バック支持部から離間しつつ前記布バネ部材と対向配置され、前記布バネ部材よりも引っ張り変形し難い規制用布部材と、
を備えた車両用シート構造。
【請求項３】
前記規制用布部材は、前記布バネ部材が架け渡された部材と同じ部材間に架け渡されている、請求項１または請求項２に記載の車両用シート構造。
【請求項４】
前記規制用布部材は、前記布バネ部材よりも高い弾性率を有する、請求項１〜請求項３のいずれか１項に記載の車両用シート構造。
【発明の詳細な説明】
【技術分野】
【０００１】
本発明は、車両用シート構造に関する。
【背景技術】
【０００２】
近年、車両用シートのクッション部材について、布バネ部材をクッション部材として用いる技術が開発されている。例えば、下記特許文献１には、乗員が着座するシートクッションについて、一対のサイドフレームと、サイドフレーム間に配置されたＵ字状のパイプフレームと、パイプフレーム間に張設された布バネ部材（ネット材）と、を有する車両用シート構造が開示されている。弾性を有する布バネ部材をクッション部材として用いることにより、ウレタンパッドや金属製のスプリング等と比べてクッション部材の軽量化を図ることができる。
【先行技術文献】
【特許文献】
【０００３】
【特許文献１】特開２０１５−２０５９６号公報
【発明の概要】
【発明が解決しようとする課題】
【０００４】
このように弾性を有する布バネ部材を用いる場合、一対のサイドフレーム間に布バネ部材を架け渡し、布バネ部材の弾性変形により、着座乗員の荷重を受けている。
【０００５】
ところで、このような布バネ部材の下方には、フロントロッドなどのシートを構成する部材が配置されている。一般的に、布バネ部材は、着座乗員の荷重を受けた際に弾性変形しても、下方に配置された物に当たらないように、配置物との距離が設定されている。しかしながら、乗員がシートクッションに膝をついた姿勢をとる等により狭い範囲に集中して荷重がかかったり、勢いをつけた着座動作により大荷重がかかったりした場合、布バネ部材の変位が大きくなり、布バネ部材と配置物とが干渉し合うことも考えられる。一方、布バネ部材の弾性率を単に高くして変形量を減らすと、座り心地に影響を与えてしまう。
【０００６】
本発明は上記問題を考慮し、布バネ部材と、配置物との干渉を抑制または防止しつつ、座り心地を維持することが可能な車両用シート構造を得ることを目的とする。
【課題を解決するための手段】
【０００７】
請求項１の発明に係る車両用シート構造は、シートクッションに配置され、シート幅方向またはシート前後方向に間隔をあけて配置された一対のクッションフレーム部材と、前記一対のクッションフレーム部材間に架け渡され、乗員の荷重を着座部で受け、弾性を有する布バネ部材と、前記布バネ部材の下側に前記着座部から離間しつつ前記布バネ部材と対向配置され、前記布バネ部材よりも引っ張り変形し難い規制用布部材と、を備えている。
【０００８】
請求項１に係る車両用シート構造は、一対のクッションフレーム部材間に架け渡された弾性を有する布バネ部材を有している。この布バネ部材は、着座部で乗員の荷重を受ける。布バネ部材の下側には、規制用布部材が配置されている。規制用布部材は、着座部から離間しつつ布バネ部材と対向している。この規制用布部材は、布バネ部材よりも引っ張り変形し難い。
【０００９】
シートクッションに乗員が着座すると、布バネ部材に荷重がかかり、一対のクッションフレーム部材間で引っ張られ、布バネ部材の着座部が下方へ弾性変形する。布バネ部材は、着座部が規制用布部材と離間しているので、規制用布部材に当たるまでは、規制用布部材の影響を受けずに弾性変形する。したがって、座り心地性は良好に維持される。
【００１０】
一方、布バネ部材に通常時よりも大きい大荷重が入力されると、布バネ部材が下側に弾性変形して規制用布部材に当たる。規制用布部材は、布バネ部材よりも引っ張り変形し難いので、布バネ部材の変形が抑制される。これにより、布バネ部材に大荷重がかかったり、布バネ部材の狭い範囲に集中して荷重がかかったりしても、布バネ部材と配置物との干渉を抑制または防止することができる。
【００１１】
なお、規制布部材は、乗員による荷重が作用することにより目に見える変形が生じる程度の弾性を有する場合（以下、「弾性を有する場合」として説明する）、乗員による荷重の作用では目に見える程度の変形が生じない程度に弾性率が高い場合（以下、「弾性を有しない場合」として説明する）の両方を含む。本発明において、「布バネ部材よりも引っ張り変形し難い」とは、規制布部材が弾性を有する場合には、規制布部材の弾性率が布バネ部材の弾性率よりも高いことを意味する。規制布部材が弾性を有しない場合には、規制布部材は弾性を有する布バネ部材よりも引っ張り変形し難くなる。
また、規制用布部材は、着座部と一部が接触していても、布バネ部材が弾性変形の初期において規制用布部材の影響を受けずに弾性変形することができるように離間していればよい。
【００１２】
請求項２の発明に係る車両用シート構造は、シートバックに配置され、シート幅方向またはシート上下方向に間隔をあけて配置された一対のバックフレーム部材と、前記一対のバックフレーム部材間に架け渡され、乗員の荷重をバック支持部で受け、弾性を有する布バネ部材と、前記布バネ部材の後側に前記バック支持部から離間しつつ前記布バネ部材と対向配置され、前記布バネ部材よりも引っ張り変形し難い規制用布部材と、を備えている。
【００１３】
請求項２に係る車両用シート構造は、一対のバックフレーム部材間に架け渡された弾性を有する布バネ部材を有している。この布バネ部材は、バック支持部で乗員の荷重を受ける。布バネ部材の後方には、規制用布部材が配置されている。規制用布部材は、バック支持部から離間しつつ布バネ部材と対向している。この規制用布部材は、布バネ部材よりも引っ張り変形し難い。
【００１４】
乗員が着座してシートバックにもたれ掛かると、布バネ部材に荷重がかかり、一対のバックフレーム部材間で引っ張られ、布バネ部材のバック支持部が後側へ弾性変形する。布バネ部材は、バック支持部が規制用布部材と離間しているので、規制用布部材に当たるまでは、規制用布部材の影響を受けずに弾性変形する。したがって、座り心地性は良好に維持される。
【００１５】
一方、布バネ部材に通常時よりも大きい大荷重が入力されると、布バネ部材が後側に弾性変形して規制用布部材に当たる。規制用布部材は、布バネ部材よりも引っ張り変形し難いので、布バネ部材の変形が抑制される。これにより、布バネ部材に大荷重がかかったり、布バネ部材の狭い範囲に集中して荷重がかかったりしても、布バネ部材と配置物との干渉を抑制または防止することができる。
【００１６】
なお、規制布部材は、弾性を有する場合と弾性を有さない場合の両方を含む。本発明において、「布バネ部材よりも引っ張り変形し難い」とは、規制布部材が弾性を有する場合には、規制布部材の弾性率が布バネ部材の弾性率よりも高いことを意味する。規制布部材が弾性を有しない場合には、規制布部材は弾性を有する布バネ部材よりも引っ張り変形し難くなる。
また、規制用布部材は、バック支持部と一部が接触していても、布バネ部材が弾性変形の初期において規制用布部材の影響を受けずに弾性変形することができるように離間していればよい。
【００１７】
請求項３の発明に係る車両用シート構造は、前記規制用布部材は、前記布バネ部材が架け渡された部材と同じ部材間に架け渡されている。
【００１８】
請求項３に係る車両用シート構造では、布バネ部材が架け渡された部材間に、規制用布部材を架け渡すので、規制用布部材を架け渡す部材を別途必要とせず、部品点数の増加を抑制することができる。
【００１９】
請求項４の発明に係る車両用シート構造は、前記規制用布部材は、前記布バネ部材よりも高い弾性率を有する。
【００２０】
請求項４に係る車両用シート構造では、規制用布部材が弾性を有するので、布バネ部材が規制用シート部材に接触した際の衝撃を緩和することができる。
【発明の効果】
【００２１】
請求項１及び請求項２記載の本発明に係る車両用シート構造によれば、座り心地を維持しつつ、布バネ部材と配置物との干渉を抑制または防止することができる。
【００２２】
請求項３記載の本発明に係る車両用シート構造によれば、部品点数の増加を抑制することができる。
【００２３】
請求項４記載の本発明に係る車両用シート構造によれば、布バネ部材が規制用布部材に接触した際の衝撃を緩和することができる。
【図面の簡単な説明】
【００２４】
【図１】第１実施形態に係る車両用シートに布バネ部材が取り付けられた状態を示す斜視図である。
【図２】布バネ部材、クッションサイドフレーム、及び規制用布部材の斜視図である。
【図３】（Ａ）は図１のＡ-Ａ線における断面図であり、（Ｂ）は図１のＢ-Ｂ線における断面図である。
【図４】第１実施形態に係る車両用シートに乗員が膝をついた場合の状態（Ａ）〜（Ｄ）を説明する図である。
【図５】第１実施形態に係る布バネ部材へかかる荷重と変位の関係を示すグラフである。
【図６】第１実施形態の変形例に係る布バネ部材へかかる荷重と変位の関係を示すグラフである。
【図７】第２実施形態に係る車両用シートに布バネ部材が取り付けられた状態を示す斜視図である。
【発明を実施するための形態】
【００２５】
［第１実施形態］
以下、図１〜図６を用いて、本発明に係る車両用シート構造の実施形態について説明する。なお、これらの図において示される矢印ＦＲはシート前後方向前側、矢印Ｗはシート幅方向、矢印ＵＰはシート上下方向上側をそれぞれ示す。
【００２６】
図１に示されるように、本実施形態の車両用シート１０は、乗員が着座するシートクッション１２と、このシートクッション１２の後端部に立設されて乗員の上半身を支持するシートバック４０と、を備えている。シートクッション１２は、乗員を下方側から支持している。シートクッション１２のシート幅方向両端部には、シート上方へ凸となるクッションサイド部１２Ａが設けられている。また、シートバック４０のシート幅方向両端部には、シート前方へ凸となるバックサイド部４０Ａが設けられている。
【００２７】
シートクッション１２には、シート幅方向（車幅方向）の両端のクッションサイド部１２Ａに一対のクッションサイドフレーム１４が配置されている。クッションサイドフレーム１４は、互いに間隔をあけて配置されている。クッションサイドフレーム１４は、車両用シート１０の前後方向（シート前後方向）に沿って延在されている。クッションサイドフレーム１４は、棒状の部材やワイヤ等で構成することができる。
【００２８】
一対のクッションサイドフレーム１４には、布バネ部材２０がシート幅方向に架け渡されている。布バネ部材２０は、弾性織物などの弾性を有する布材で形成されており、図２に示されるように、平面視で略長方形状とされている。図３（Ａ）に示されるように、布バネ部材２０のシート幅方向の両端は、布バネ部材２０の幅端部を折り返し、重ね合わせて端部が縫い合わせられている。以下、この縫い合わせた部分を「縫合わせ部２２」と称する。縫合わせ部２２よりも幅端部側には、中空を有する環状部２４が形成されている。環状部２４に、クッションサイドフレーム１４が挿通されることで、布バネ部材２０がクッションサイドフレーム１４に取り付けられている。クッションサイドフレーム１４は、車体にスライド可能に支持されたシートクッション１２の骨格部材（不図示）に取り付けられている。
【００２９】
布バネ部材２０には、クッションサイドフレーム１４よりもシート幅方向の内側に、着座部１６が形成されている。着座部１６は、乗員が車両用シート１０に着座した際の荷重を受けて下方へ変位する部分である。
【００３０】
一対のクッションサイドフレーム１４には、規制用布部材３０が取り付けられている。規制用布部材３０は、略長方形状とされており、弾性織物などの弾性を有する布材で形成されている。本実施形態で「弾性を有する」とは、乗員による荷重が作用することにより目に見える変形が生じる程度の弾性を有することをいう。規制用布部材３０の弾性率は、布バネ部材２０の弾性率よりも高く設定されている。したがって、布バネ部材２０よりも規制用布部材３０の方が、乗員の着座による荷重に対して引っ張り変形し難い。
【００３１】
規制用布部材３０は、シート幅方向の一端及び他端が布バネ部材２０の縫合わせ部２２と同じ位置で布バネ部材２０に縫い付けられている。これにより、規制用布部材３０は、間接的にシート幅方向の両端が一対のクッションサイドフレーム１４に取り付けられて、一対のクッションサイドフレーム１４間に架け渡されている。規制用布部材３０のシート幅方向の長さは、布バネ部材２０のシート幅方向の長さよりも長く、シート幅方向の中央が下方に位置するように弛んでいる。
【００３２】
シートバック４０には、シート幅方向（車幅方向）の両端のバックサイド部４０Ａに一対のバックサイドフレーム４４が配置されている。バックサイドフレーム４４は、互いに間隔をあけて配置されている。バックサイドフレーム４４は、車両用シート１０の上下方向（シート上下方向）に沿って延在されている。バックサイドフレーム４４は、棒状の部材やワイヤ等で構成することができる。
【００３３】
一対のバックサイドフレーム４４には、布バネ部材５０がシート幅方向に架け渡されている。布バネ部材５０は、布バネ部材２０と同様の構成であり、縫合わせ部２２に対応する縫合わせ部５２、及び環状部２４に対応する環状部５４が形成されている（図３（Ｂ）参照）。環状部５４には、バックサイドフレーム４４が挿通され，布バネ部材５０がバックサイドフレーム４４に取り付けられている。バックサイドフレーム４４は、シートバック４０の骨格部材（不図示）に取り付けられている。
【００３４】
布バネ部材５０には、バックサイドフレーム４４よりもシート幅方向の内側に、バック支持部４６が形成されている。バック支持部４６は、乗員が車両用シート１０に着座してシートバック４０へもたれ掛かったときに、乗員の荷重を受けて後方へ変位する部分である。
【００３５】
一対のバックサイドフレーム４４には、規制用布部材６０が取り付けられている。規制用布部材６０は、規制用布部材３０と同様の構成であり、規制用布部材６０の弾性率は、布バネ部材５０の弾性率よりも高く設定されている。したがって、布バネ部材５０よりも規制用布部材６０の方が、乗員の着座による荷重に対して引っ張り変形し難い。
【００３６】
規制用布部材６０は、シート幅方向の一端及び他端が布バネ部材５０の縫合わせ部５２と同じ位置で布バネ部材５０に縫い付けられている。これにより、規制用布部材６０は、間接的にシート幅方向の両端が一対のバックサイドフレーム４４に取り付けられ、一対のバックサイドフレーム４４間に架け渡されている。規制用布部材６０のシート幅方向の長さは、布バネ部材５０のシート幅方向の長さよりも長く、シート幅方向の中央が後方に位置するように弛んでいる。
【００３７】
次に、本実施形態の作用及び効果について説明する。
【００３８】
シートクッション１２に乗員が着座すると、布バネ部材２０に荷重がかかり、布バネ部材２０の着座部１６が下方へ弾性変形する。布バネ部材２０は、着座部１６が規制用布部材３０と離間しているので、規制用布部材３０に当たるまでは、規制用布部材３０の影響を受けずに弾性変形する。したがって、座り心地性が良好に維持される。
【００３９】
また、シートバック４０に乗員がもたれ掛かると、布バネ部材５０に荷重がかかり、布バネ部材５０のバック支持部４６が後方へ弾性変形する。布バネ部材５０は、バック支持部４６が規制用布部材６０と離間しているので、規制用布部材６０に当たるまでは、規制用布部材６０の影響を受けずに弾性変形する。したがって、座り心地性が良好に維持される。
【００４０】
一方、乗員がシートクッション１２に膝をついた姿勢をとるなど、布バネ部材２０に通常時よりも局所的に大きい荷重が入力されると、図４（Ａ）に示される状態から、図４（Ｂ）に示されるように、荷重の入力された部分が下側へ弾性変形する。図５には、布バネ部材２０へかかる荷重と布バネ部材２０の変位の関係が示されている。布バネ部材２０が規制用布部材３０に当たるまでは、布バネ部材２０の持つ特性で変位する。さらに弾性変形が進むと、図４（Ｃ）に示されるように、布バネ部材２０が規制用布部材３０に当たる。そして、図４（Ｄ）に示されるように、布バネ部材２０は規制用布部材３０と共に下方へ弾性変形する。このとき、布バネ部材２０と規制用布部材３０が合わさっており、図５の点Ｄ１から右側の実線で示されるように、両方が合わさった特性で変位し、下方へ弾性変形し難くなる。そして、点Ｄ２よりも右側では、荷重が増加しても布バネ部材２０及び規制用布部材３０がほとんど変位しない。変位前の布バネ部材２０と配置物Ｂとの間に点Ｄ２の変位量に対応する距離を確保しておけば、布バネ部材２０を配置物Ｂに達しない位置までの変位に規制することができる。
【００４１】
このように、布バネ部材２０は、所定量以上の変形が抑制される。したがって、シートクッション１２の布バネ部材２０に大荷重がかかったり、布バネ部材２０の狭い範囲に集中して荷重がかかったりしても、布バネ部材２０と配置物Ｂとの干渉を抑制または防止することができる。
【００４２】
シートバック４０の布バネ部材５０に大荷重がかかったり、布バネ部材２０の狭い範囲に集中して荷重がかかったりしても、同様に、布バネ部材５０と配置物との干渉を抑制または防止することができる。
【００４３】
なお、本実施形態では、弾性を有する布部材で規制用布部材３０、６０を構成したが、規制用布部材３０、６０は、弾性を有さない布部材で構成することもできる。なお、「弾性を有しない場合」とは、乗員による荷重の作用では目に見える程度の変形が生じない程度に弾性率が高い場合を意味する。この場合には、図６に示されるように、布バネ部材２０が規制用布部材３０に当たって規制用布部材３０に引張力が作用しても、規制用布部材３０は弾性変形しないため、布バネ部材２０が変位しないように規制される。これにより、布バネ部材２０と配置物との干渉を抑制または防止することができる。
【００４４】
[第２実施形態]
次に、本発明に係る車両用シート構造の第２実施形態について説明する。本実施形態では、第１実施形態と同様の部分については同一の符号を付し、その詳細な説明を省略する。
【００４５】
図７に示されるように、本実施形態の車両用シート７０は、第１実施形態の車両用シート１０と布バネ部材及び規制用布部材の架け渡し方向が異なっている。本実施形態では、布バネ部材２０、規制用布部材３０は、前後方向に架け渡され、布バネ部材５０、規制用布部材６０は上下方向に架け渡されている。
【００４６】
シートクッション１２には、シート前後方向（車両前後方向）の両端に一対のクッション前後フレーム１８が配置されている。クッション前後フレーム１８は、互いに間隔をあけて配置されている。クッション前後フレーム１８は、車両用シート７０の幅方向（シート幅方向）に沿って延在されている。クッション前後フレーム１８は、棒状の部材やワイヤ等で構成することができる。一対のクッション前後フレーム１８には、第１実施形態と同様にして、布バネ部材２０及び規制用布部材３０が取り付けられている。布バネ部材２０には、クッション前後フレーム１８よりもシート前後方向の内側に、着座部１６が形成されている。クッション前後フレーム１８は、シートクッション１２の骨格部材（不図示）に取り付けられている。
【００４７】
シートバック４０には、シート上下方向（車両上下方向）の両端に一対のバック上下フレーム４８が配置されている。バック上下フレーム４８は、互いに間隔をあけて配置されている。バック上下フレーム４８は、車両用シート７０の幅方向（シート幅方向）に沿って延在されている。バック上下フレーム４８は、棒状の部材やワイヤ等で構成することができる。一対のバック上下フレーム４８には、第１実施形態と同様にして、布バネ部材５０及び規制用布部材６０が取り付けられている。布バネ部材５０には、バック上下フレーム４８よりもシート上下方向の内側に、バック支持部４６が形成されている。バック上下フレーム４８は、シートバック４０の骨格部材（不図示）に取り付けられている。
【００４８】
本実施形態の車両用シート７０においても、規制用布部材３０、６０を備えているので、第１実施形態と同様の作用及び効果が得られる。
【００４９】
更に、第２実施形態では、布バネ部材２０は、車両用シート１０の前後方向に架け渡されているので、着座乗員の腰部が前後方向で挟み込まれるように支持され、前後方向の回転が抑えられる。
【００５０】
一方、第１実施形態では、布バネ部材２０は、車両用シート１０の車両幅方向に架け渡されているので、着座乗員の腰部が左右方向で挟み込まれるように支持され、左右の回転が抑えられる。
【００５１】
なお、第２実施形態でも、規制用布部材３０、６０について弾性を有さない布部材で構成することもできる。
【００５２】
以上、本発明の実施形態について説明したが、本発明は、上記に限定されるものでなく、その主旨を逸脱しない範囲内において上記以外にも種々変形して実施することが可能であることは勿論である。
【符号の説明】
【００５３】
１０、７０    車両用シート
１２   シートクッション
１４   クッションサイドフレーム（クッションフレーム部材）
１６   着座部
１８   クッション前後フレーム（クッションフレーム部材）
２０、５０  布バネ部材
３０、６０  規制用布部材
４０   シートバック
４４   バックサイドフレーム（バックフレーム部材）
４６   バック支持部
４８   バック上下フレーム（バックフレーム部材）
５６   バック支持部
【図１】
2018075885.tif 000003
【図２】
2018075885.tif 000004
【図３】
2018075885.tif 000005
【図４】
2018075885.tif 000006
【図５】
2018075885.tif 000007
【図６】
2018075885.tif 000008
【図７】
2018075885.tif 000009